Podtech/llm-jp-corpus-v4-ja_patent huggingface dataset:
(57)【要約】【課題】  インクミスト回収装置をインクタンク交換式の印字ヘッドに最適化する。【解決手段】  インクタンクと同形のインクミスト回収装置をインクタンクの並びの左右に配置する。【選択図】  図４
2007160562.tif 000002
【特許請求の範囲】
【請求項１】
インクジェットプリンタにおいて、
印字ヘッドに複数以上のインクタンクを装着する手段と、
インクタンクと同形のインクミスト回収手段とを
有することを特徴としたインクジェットプリンタ。
【請求項２】
請求項１に記載のインクジェットプリンタにおいて、
インクタンクと同形のインクミスト回収手段は印字ヘッドの左右の位置のインクタンク部分に配列することを特徴としたインクジェットプリンタ。
【発明の詳細な説明】
【技術分野】
【０００１】
本発明はインクジェットプリンタの印字ヘッドから発生するインクミストを回収する装置に関する。
【背景技術】
【０００２】
従来、以下のインクミスト回収装置がある。
【０００３】
インクジェットプリンタ本体内にインクミスト吸収体を配置し、印字の際にキャリッジが移動することにより、インクミストを含んだ空気流をインクミスト吸収体に導き、インクミストを回収する構造をもつもの（例えば、特許文献１）。
【０００４】
印字ヘッドとインクタンクが一体（分離不可）になった印字カートリッジにインクミスト吸収体を装着したもので、印字の際にキャリッジが移動することによりインクミストを含んだ空気流をインクミスト吸収体に導き、インクミストを回収する構造をもつもの（例えば、特許文献２）。
【０００５】
印字ヘッドとインクタンクが一体（分離不可）になった印字カートリッジにインクミスト吸収体とガス吸収体を装着し、印字の際にキャリッジが移動することによりインクミストやガスを含んだ空気流をインクミスト＋ガス吸収体に導き、インクミスト＋ガスを回収する構造をもつもの（例えば、特許文献３）。
【特許文献１】特開平１０−０００７６５号公報
【特許文献２】特開２０００−１５８６７２号公報
【特許文献３】特開２００３−３３４９７３号公報
【発明の開示】
【発明が解決しようとする課題】
【０００６】
近年、インクジェット技術の発達により、印字ヘッドの寿命が延びた事や、印字色の再現性を向上するためのインク色の増加により、印字ヘッドとインクタンクを独立にした構造が主流となってきている。
【０００７】
印字の解像度を向上するために、インクジェットの液滴の大きさも従来の液滴の大きさの半分以下に小さくなり、印字ヘッドのインク吐出ノズル数は逆に２倍以上となっている。
【０００８】
これにより、インクミストの発生頻度が非常に大きくなってきている。
【０００９】
このインクミストはプリンタの機内に付着していき、大量に堆積すると、印字媒体を汚したり、内部機構に悪影響を及ぼすようになる。
【００１０】
本発明は近年主流となってきた印字ヘッドとインクタンクが独立した構造のインクジェットプリンタに最適なインクミスト回収方法を提供するものである。
【課題を解決するための手段】
【００１１】
そこでインクタンクと同形のインクミスト回収装置を印字ヘッドの近傍に配置し、インクミストを回収できるようにしたのが本発明の手段である。
【発明の効果】
【００１２】
インクタンクと同形のインクミスト回収装置を印字ヘッドの近傍に配置できることにより、インクミストの回収率が高くなる効果がある。
【００１３】
また、インクミスト回収装置がインクタンクと同形であるため、回収装置そのものの設計および、インクタンクとインクミスト回収装置の並びを考慮した印字ヘッドの設計が容易であるだけでなく、インクミスト回収装置がインクタンクと同形であるため、交換が容易なこと特徴も兼ね備えている。
【発明を実施するための最良の形態】
【００１４】
（実施例１）
次に順を追って本発明の実施例を説明する。
【００１５】
図１は、従来のインクヘッドとインクタンクで構成されるキャリッジで、プリンタ（不図示）の内部に配置され、ガイドシャフト（不図示）に沿って左右に移動しながら印字ヘッドからインク滴を吐出して、印字媒体（不図示）に印字する。
【００１６】
ここでは、向かって右に印字ヘッド101が移動しながらインクを吐出する際に発生するインクミスト103を示している。
【００１７】
図２は、図１を右斜め上から見た図である。
【００１８】
図３は、インクタンクと同形のインクミスト回収装置で、内部にインクミスト吸収体304が配置され、給排気羽根302からインクミストを含んだ空気が通過する際にインクミストを吸着し、回収する。
【００１９】
このインクミスト吸収体304は、不織布などが材料である。
【００２０】
本インクミスト回収装置を装着した際に給排気羽根302が上下同時に動くように羽根レバー303がある。
【００２１】
図４は、インクミスト回収装置を装着した図で、中央部にインクタンク402（Ｙ，Ｍ，Ｃ，Ｂｋ）の４色が配置され、左右にインクタンクと同形のインクミスト回収装置が１個ずつ配置されている。
【００２２】
インクミスト回収装置404は装着されると、羽根レバー押え405により、給排気羽根が自動的に開くようになっている。印字ヘッドから印字時に発生するインクミスト403は給排気羽根により、向かって左のインクミスト回収装置404のインクミスト吸収体へ導かれ吸収される。
【００２３】
図４では、印字ヘッドが右方向に移動しながら、印字する際のインクミストの流れをあらわしているが、印字ヘッドが左方向に移動しながら印字する際のインクミストの流れは逆となる。その場合は、向かって右のインクミスト回収装置404がインクミストを回収する。
【図面の簡単な説明】
【００２４】
【図１】従来のインクヘッドとインクタンクで構成されるキャリッジ。
【図２】図２は、図１の構成を斜め右上から見た図。
【図３】図３はインクタンクと同形のインクミスト回収装置。
【図４】図４は、インクミスト回収装置を実際に配置した図。
【符号の説明】
【００２５】
101  印字ヘッド
102  各色（ここではＹ，Ｍ，Ｃ，Ｂｋ）インクタンク
103  印字ヘッドから発生するインクミスト
301  外装
302  給排気羽根
303  羽根レバー
304  インクミスト吸収体
401  印字ヘッド
402  インクタンク
403  インクミスト
404  インクミスト回収装置
405  羽根レバー押え
【図１】
2007160562.tif 000003
【図２】
2007160562.tif 000004
【図３】
2007160562.tif 000005
【図４】
2007160562.tif 000006
(57)【要約】【課題】  記録装置に関し、記録装置本体とスタンドとの初期取り付け不具合と検知すること。【解決手段】  キャリッジ５を規定位置で急停止させたときの基準位置からの位置ずれを検出し、位置ずれが基準位置から規定値以上発生した場合は印字動作を中止し、ユーザーに取り付け不良を伝える。【選択図】  図３
2007160555.tif 000002
【特許請求の範囲】
【請求項１】
記録材にインクを吐出して非接触で印字を行う大判インクジェット記録装置において、前記記録装置を支えるスタンドと前記記録装置との取り付け不良を検知する検知手段と、ユーザーに警告を発する警告手段とをもつことを特徴とする大判インクジェット記録装置。
【請求項２】
前記検知手段は振動によるキャリッジの位置ずれをキャリッジエンコーダからの信号により検出することを特徴とする大判インクジェット記録装置。
【発明の詳細な説明】
【技術分野】
【０００１】
本発明は非接触で記録材に記録を行う記録装置、特に記録装置と前記記録装置を支えるスタンドとの取り付け不良を検知する手段を有するインクジェット記録装置に関する。
【背景技術】
【０００２】
近年、用紙等の被記録材にヘッドと呼ばれる記録部よりインクを吐出し、該インクを着弾させて被記録材上にドットを形成することで記録を行うインクジェット方式のプリンタが広く普及している。
【０００３】
特にサイン業界、小規模オフィスなどで利用されている大判プリンタにおいては更なる印字速度向上、印字用紙サイズの大判化に伴いプリンタ本体自体が大型化している。そのため、プリンタ本体を支えるスタンドへの負荷が増加し、初期取り付け時の不良によりプリンタ本体自体が振動するとインクの吐出位置にばらつきが生じ、印字にムラが発生する。また、プリンタ本体がスタンドから落下し、プリンタ本体が破損する危険性がある。
【０００４】
従来このような問題に対しては考慮されておらずプリンタ本体とスタンドの初期取り付け時の不良により印字精度が落ちるという問題があった。
【０００５】
又、別の従来例としては、特許文献１をあげることが出来る。
【特許文献１】特開2004-181850号公報
【発明の開示】
【発明が解決しようとする課題】
【０００６】
本発明はプリンタ本体とスタンドとの初期取り付け時の不良を検知し、ユーザーに警告を発する手段をもつ大判インクジェット記録装置を提供することである。
【課題を解決するための手段】
【０００７】
上記課題はキャリッジを急停止させたときの基準位置からの位置ずれを検出し、位置ずれが基準位置から規定値以上である場合は印字動作を中止し、ユーザーに取り付け不良を伝えることで実現できる。
【発明の効果】
【０００８】
本発明の大判インクジェット記録装置は、印字を行うプリンタ本体とスタンドとの取り付け不良を検知し、ユーザーに知らせることで、取り付け不良による印字のばらつきを防ぎ、プリンタ本体の落下によるプリンタ本体の破損などの被害を未然に防ぐことが可能となる。
【発明を実施するための最良の形態】
【０００９】
以下に本発明の実施について添付図面を用いながら説明する。
【００１０】
図１は大判インクジェットプリンタの構成を示し、図2は印字部における構成を示す。図１においてプリンタ本体１とプリンタ本体１を支えるスタンド２は接合部３においてビスなどで取り付けられる。図2において印字動作を行うヘッド４が搭載されたキャリッジ５は駆動モーター（図示せず）によってキャリッジベルト（図示せず）を介して軸６に沿って印字用紙１２上を主走査方向に往復運動する。キャリッジ５の主走査方向の位置は主走査方向に軸６に並行して設置されたリニアスケール１１の値をキャリッジエンコーダ７により検知し、パルス信号に変換され、このパルス信号の数をカウントする（以降カウンター値）ことにより得ることができる。
【００１１】
図３は本発明におけるキャリッジ５の動作を示す図である。今、主走査方向に向かって一定の速度にてキャリッジ５が動作をしている場合に規定の位置に到達したときにキャリッジ５に停止信号を送る。停止信号がキャリッジ５に送られると駆動モーターをロックし、強制的にキャリッジ５は停止する。このときプリンタ本体１とスタンド２との取り付けに不具合が生じているとプリンタ本体１は急停止したキャリッジ５の反動から主走査方向に振動する。この状態で駆動モーターのロックを解除し、キャリッジ５を自由に動作できうる状態にする。プリンタ本体１は振動しているため、キャリッジ５も強制的に停止させられた位置から主走査方向に振動する。図３において駆動モーターのロックが解除されたキャリッジ５は振動により最大誤差位置aまで移動し徐々に誤差位置の振幅を小さくしながら最終的にｂの位置に停止する。このときキャリッジ５の最大誤差位置aをキャリッジエンコーダ７からのカウンター値により取得する。なお、駆動モーターをロックしてから解除するまでの時間は極力短くし、一定の時間とする。
【００１２】
図４は本発明の実施形態のブロック図である。上記のように駆動モーターのロック、解除を行い振動によるキャリッジ５の位置ずれを検出したカウンター値の最大値は比較回路８に送られる。比較回路８では基準カウンター値と入力したカウンター値とを比較し位置ずれを算出する。基準カウンター値は正常取り付け時の停止位置のカウンター値をあらかじめ内部メモリ９に組み入れておく。比較回路８において規定値以上のカウンター値のずれが生じている場合は後続のアラーム回路１０から警告信号を出し、警告音あるいはパネル表示によってユーザーに取り付け不具合を知らせる。
【００１３】
上記のようにキャリッジエンコーダ７からの信号を取り付け不具合の検出に用いることで新たに振動を検出するためのセンサなどの部品を取り付ける必要もなく、簡単な構成によって取り付け不具合を検出でき、取り付け不具合によって起こる振動による印字のばらつきを防ぎ、またプリンタ本体の落下なども未然に防止することができる。
【図面の簡単な説明】
【００１４】
【図１】インクジェットプリンタの構成を示す図である。
【図２】インクジェットプリンタの印字部における構成を示す図である。
【図３】取り付け不具合によるキャリッジの振動の様子を示す図である。
【図４】本発明の実施形態を示すブロック図である。
【符号の説明】
【００１５】
１  プリンタ本体
２  スタンド
３  接合部
４  ヘッド
５  キャリッジ
６  軸
７  キャリッジエンコーダ
８  比較器
９  内部メモリ
１０  アラーム回路
１１  リニアスケール
１２  印字用紙
【図１】
2007160555.tif 000003
【図２】
2007160555.tif 000004
【図３】
2007160555.tif 000005
【図４】
2007160555.tif 000006
(57)【要約】【課題】使用済のメモ用紙のみを、容易に抜き取るように構成したメモ用クリップ。【解決手段】裁断したメモ用紙６を一定量クリップ本体１の傾斜部２に合致するようにセットし、該メモ用紙６をクリップ本体１のツマミ４ａ、４ｂに依って開き挟むと、ピン５ａ、５ｂに依ってクリップされ、該ピン５ａ、５ｂはバネの圧力によりメモ用紙６復数枚に突き刺さり、使用済のメモ用紙６の抜き取りを可能にする。【選択図】図４
2007160909.tif 000002
【特許請求の範囲】
【請求項１】
バネの圧力でメモ用紙を上下から挟むメモ用クリップにおいて、数枚から数十枚重ねたメモ用紙の上部一枚目から順に、常に上部一枚目のみが抜き取れるよう、該クリップに挟み込まれるメモ用紙に直交するよう、クリップ上側内面部に一つ叉は一つ以上のピンを設け、更に重ねたメモ用紙の上部一枚のみ抜き取りを容易にする為、メモ用紙を保持する該クリップの突き当て部分の形状が、傾斜している事を特徴とするメモ用クリップ。
【請求項２】
前記クリップ上側内面部に一つ又は一つ以上設けたピンは、挟み込んだメモ用紙を常時復数枚ピン先が通るようにバネの圧力をコントロールした事を特徴とする請求項１記載のメモ用クリップ。
【発明の詳細な説明】
【技術分野】
【０００１】本発明は、メモ用クリップに関するものである。
【背景技術】
【０００２】メモ用紙は事務用品として色々なサイズのものが筆記帳として販売され携帯、叉は卓上用として使用されている。又使用済の各種用紙を再利用するには卓上用としてパンチで２ケ所に孔をあけ専用ベースに取り付け使用するもの、及びパンチ叉は千枚通し等で孔をあけ綴じ紐等で綴じて使用する方法、或いはクリップに挟み使用する方法等が古くから利用されている。
【発明が解決しようとする課題】
【０００３】前記の通りメモ用紙の使用方法は色々あるが、資源の再利用を行う事から考えると使用済の用紙をクリップに挟み使用する事が簡便である。
しかし通常のクリップでは、メモ済みの用紙を抜き取る際クリップされている他の用紙も同時に抜き取られ易く、特に片手で操作する場合はすべての用紙が抜き取られ始末におえない。
【課題を解決する手段】
【０００４】本発明は、前記した課題を解決する為、メモ用クリップとして該クリップに挟み込む用紙に直交するピンを一つ叉は一つ以上クリップ上側内面部に設け、用紙復数枚にピンが常時通るようにクリップにバネ等で圧力をかけ構成する。
【０００５】又、メモ用紙の抜き取りを容易にする為、該メモ用紙の突き当て部分のクリップ形状を、斜に形成し構成する。
【発明の実施と形態】
【０００６】本発明の構成を、図１〜図３に依って説明する。
クリップ本体１は、メモ用紙を斜にセットする為に設けた傾斜部２、底面部３、クリップ本体１を開閉するツマミ４ａ、４ｂ、メモ用紙をクリップするピン５ａ、５ｂがバネ材に依って一体で構成されている。
【実施例】
【０００７】本発明の実施例を図４に依って説明する。
裁断したメモ用紙６を一定量用意し、クリップ本体１の傾斜部２に合致するように、該メモ用紙６をクリップ本体１のツマミ４ａ、４ｂに依って開き挟むとピン５ａ、５ｂに依ってクリップされ、該ピン５ａ、５ｂはバネの圧力によりメモ用紙６復数枚に突き刺さり、使用済のメモ用紙６の抜き取りを可能にする。
【発明の効果】
【０００８】本発明は、以上説明したような形態で実施され、以下に記載されるような効果を得られる。
使用済メモ用紙の抜き取りが片手操作で容易にできる。
使用済メモ用紙の抜きとりの際、他のメモ用紙が引き出される事がない。
上部一枚目のメモ用紙が、それ以降のメモ用紙よりも突き出るよう斜にセットされる事で、抜き取りが容易である。
各種使用済用紙の再利用ができる。
【図面の簡単な説明】
【図１】  本発明のメモ用クリップを示す平面図。
【図２】  本発明のメモ用クリップを示す正面図。
【図３】  本発明のメモ用クリップを示す縦断面図。
【図４】  本発明のメモ用クリップの実施例を示す詳細図。
【符号の説明】
１：クリップ本体
２：傾斜部
３：底面部
４ａ、４ｂ：ツマミ
５ａ、５ｂ：ピン
６：メモ用紙
【図１】
2007160909.tif 000003
【図２】
2007160909.tif 000004
【図３】
2007160909.tif 000005
【図４】
2007160909.tif 000006
(57)【要約】      （修正有）【課題】ブックカバーの使用していない部分を無くし、しおりとブックカバーも一体して、経済的にする。そして、しおりが無くて本を閉じても続きがすぐにわかるように便利ブックカバーを提供する。【解決手段】ブックカバーの四隅に小さな袋を設け、上左隅袋（１）と下右隅袋（３）に本のページを収めて、上右隅袋（２）と下左隅袋（４）に表紙と背表紙を収める。読んだページは、その袋に収めていくようにする。又は、上右隅袋（２）と下左隅袋（４）に本のページを収めて、上左隅袋（１）と下右隅袋（３）に表紙と背表紙を収める。読んだページは、その袋に収めていくようにする。【選択図】図１
2007160911.tif 000002
【特許請求の範囲】
【請求項１】
ブックカバーの四隅に本のページが収まるように、袋を設けたブックカバー。
【請求項２】
ブックカバーの上左隅（１）と下右隅（３）に本のページを収め、上右隅（２）と下左隅（４）に本の表紙・背表紙を収めることが出来る袋を設けたブックカバー。
【請求項３】
ブックカバーの下左隅（４）と上右隅（２）に本のページを収め、下右隅（３）と上左隅（１）に本の表紙・背表紙を収めることが出来る袋を設けたブックカバー。
【発明の詳細な説明】
【技術分野】
【０００１】  この発明は、ブックカバーの四隅に小さめの袋を設けた便利ブックカバーに関するものである。
【背景技術】
【０００２】  従来、ブックカバーとしおりは別々になっていた。
【発明の開示】
【発明が解決しようとする課題】
【０００３】これは、次のような欠点があった。
従来、本には必ずしおりが付いているものではなく、忘れると便利が悪い。本をきれいに残しておきたくても、しおりを忘れると本のページを折ることもあった。
ブックカバーの折り曲げ部分は全部を使っていない。特に、中間部分はもったいない。
本発明は、以上のような欠点をなくすためになされたものである。
【課題を解決するための手段】
【０００４】ブックカバーの四隅に小さな袋を設ける。ブックカバーの上左隅（１）と下右隅（３）に本のページを収め、上右隅（２）と下左隅（４）に本の表紙と背表紙を収める。又は、上右隅（２）と下左隅（４）に本のページを収め、上左隅（１）と下右隅（３）に本の表紙と背表紙を収める。
本発明は、以上の構成によりなる便利ブックカバーである。
【発明の効果】
【０００５】  ブックカバーとしおりが一体になっているので、しおりを持っていなくても、本を折ることもなく、続きを探したりしなくてもよい。
ブックカバーの四隅に小さな袋を設けることで、従来のブックカバーの無駄な部分を省くことができ、しおりを作る必要もないので、経済的である。
【発明を実施するための最良の形態】
【０００６】以下、本発明を実施するための最良の形態について説明する。
ブックカバーの上左隅袋（１）と下右隅袋（３）に本のページを収め、上右隅袋（２）と下左隅袋（４）に本の表紙と背表紙を収める。そして、読んだページはその袋に収めるようにする。
本のページは左から右へ読み進めるものもあれば、右から左へ読み進めるものもあるので、ブックカバーの上右隅袋（２）と下右隅袋（４）に本のページを収め、上左隅袋（１）と下右隅袋（３）に本の表紙と背表紙を収める。そして、読んだページはその袋に収めるようにする。
本発明は、以上のような構造でこれを使用するときは、本を閉じても続きを探す手間を省くことができる。
【図面の簡単な説明】
【０００７】
【図１】    本発明の正面図である。（本を入れていない時）
【図２】    本発明の正面図である。（本を入れた時）
【符号の説明】
【０００８】１    ブックカバーの上左隅袋
２    ブックカバーの上右隅袋
３    ブックカバーの下右隅袋
４    ブックカバーの下左隅袋
【図１】
2007160911.tif 000003
【図２】
2007160911.tif 000004
(57)【要約】【課題】  本発明は外部入力のコネクタの挿入口を供えた印刷装置において挿入口を保護する為のカバーを専用のカバーではなく他の部品と共用とする事でコストダウンすることを目的とする。【解決手段】  使用しない時は印刷装置本体に収納でき、印刷装置使用時に開いて使用するトレイの収納状態の内側に外部入力コネクタ挿入口を設けることによりトレイに外部入力コネクタ挿入口カバーの機能を持たせる。【選択図】  図１
2007160613.tif 000002
【特許請求の範囲】
【請求項１】
使用しない時は印刷装置本体に収納でき、印刷装置使用時に開いて使用するトレイと、
印刷装置本体に収納したトレイの内側に設けられた外部入力コネクタ挿入口と、
を有することを特徴とする印刷装置。
【発明の詳細な説明】
【技術分野】
【０００１】
本発明は印刷装置の構成において、印刷データを送るケーブルの為の外部入力コネクタ挿入口を他の機構部品により保護する構造に関するものである。
【背景技術】
【０００２】
近年の印刷装置では、従来からのＰＣからの外部入力のほかにデジタルカメラ等からの入力の為のコネクタを持つ印刷装置も増えてきている。
【０００３】
従来例としては、例えば特許文献１と特許文献２をあげることが出来る。
【特許文献１】特開平５−１２４３０１号公報
【特許文献２】特開平１１−２４９３５７号公報
【発明の開示】
【発明が解決しようとする課題】
【０００４】
ＰＣからのケーブルを接続するコネクタは、一般的に常時接続されているが、デジタルカメラ等からの接続を目的としたコネクタは、頻繁に使うわけではない。そのため、コネクタ挿入口の電極保護や、外部からの異物の入り込み等から保護する事が好ましいが、従来は、専用のカバーを設けると、その分コスト高になり、またカバーのスペースを確保する事が必要なので、そのまま露出している場合が殆どだった。
【０００５】
本発明の目的は、コネクタ挿入口の電極の保護や、コネクタ挿入口に外部から異物が入り込むのを防止できる低コストでコンパクトな印刷装置を提供することである。
【課題を解決するための手段】
【０００６】
上記目的を達成するための本発明の構成は、
使用しない時は印刷装置本体に収納でき、印刷装置使用時に開いて使用するトレイと、
印刷装置本体に収納したトレイの内側に設けられた外部入力コネクタ挿入口と、
を有することを特徴とする印刷装置である。
【発明の効果】
【０００７】
本発明によれば、コネクタ挿入口の電極の保護や、コネクタ挿入口に外部から異物が入り込むのを防止できる低コストでコンパクトな印刷装置を提供することができる。
【発明を実施するための最良の形態】
【０００８】
図１は本発明の使用状態の模式的外観図である。１０１は印刷装置、１０２は印刷装置１０１の電源スイッチ、１０３はデジタルカメラ等の接続を目的とした外部入力コネクタ挿入口、ＰＣからのコネクタ挿入口は背面側に位置する（図示せず）。
【０００９】
１０４は前面側給紙口で１０５は前面側給紙トレイ、１０６は前面側用紙である。
【００１０】
１０７は背面側給紙口で１０８は背面側給紙トレイ、１０９は背面側用紙である。
【００１１】
どちらの用紙も印刷装置１０１で印刷され、１１０の排紙口から排出される。１１１は排紙された用紙をガイドする排紙トレイ、１１２は排紙された用紙である。
【００１２】
図１の状態で、外部入力コネクタ挿入口１０３にデータ転送元（デジタルカメラ等）からのコネクタ（図示せず）を挿入すると、印刷を行うことが出来る。前面側用紙１０６或いは背面側用紙１０９は任意に選択できる。
【００１３】
図２は本発明の収納状態の模式的外観図である。２０２は収納状態の背面側給紙トレイ、２０４は収納状態の前面側給紙トレイである。図１で、前面側給紙トレイ１０５の上側にあった排紙トレイ１１１は、印刷装置１０１内に収納されるので、前面側給紙トレイ１０５は印刷装置１０１の一面にきれいに収納できる。この時、外部入力コネクタ挿入口１０３は前面側給紙トレイ１０５の収納状態（２０３）の内側に位置するため、使用状態の時に外部に露出していた外部入力コネクタ挿入口１０６は前面側給紙トレイ１０５を収納状態（２０３）にする事により外部から見えない状態になる。この状態で収納状態の前面側給紙トレイ１０５は外部入力コネクタ挿入口１０６のカバーの機能を持つ。
【００１４】
本発明の実施例では前面側給紙トレイと外部入力コネクタ挿入口の位置関係を述べたが、使用しない時は印刷装置本体に収納でき、印刷装置使用時に開いて使用する部材（例えば本実施例では背面側給紙トレイ）と外部入力コネクタ挿入口の位置関係でも同様である。
【００１５】
以上本発明によれば、使用しない時は印刷装置本体に収納でき、印刷装置使用時に開いて使用するトレイの収納状態の内側に外部入力コネクタ挿入口を設ける事によりトレイに外部入力コネクタ挿入口カバーの機能を持たせることが出来た。
【図面の簡単な説明】
【００１６】
【図１】本発明の使用状態の模式的外観図である。
【図２】本発明の収納状態の模式的外観図である。
【符号の説明】
【００１７】
１０１  印刷装置
１０２  電源スイッチ
１０３  外部入力コネクタ挿入口
１０４  前面側給紙口
１０５  前面側給紙トレイ
１０６  前面側用紙
１０７  背面側給紙口
１０８  背面側給紙トレイ
１０９  背面側用紙
１１０  排紙口
１１１  排紙トレイ
１１２  排紙された用紙
【図１】
2007160613.tif 000003
【図２】
2007160613.tif 000004
(57)【要約】      （修正有）【課題】野積みされてる甲殻類の再利用に開発した有機物処理調整剤の調整方法であり、甲殻類は、破砕機に掛て平均に破砕する、破砕後は微粒子にするため再度粉砕機にかける。微粒子になった甲殻類に好気性バチルス属菌群を入れ撹拌することにより有機物処理調整剤を提供する。【解決手段】甲殻類を微粒子にして有機質の廃棄物を処理する調整基材。やっかいな甲殻類を再資源として利用出来る。甲殻類を微粒子にすることにより河川に散布しても、海岸に散布しても何ら問題なく、違和感もない。【選択図】なし【特許請求の範囲】
【請求項１】
本発明は、甲殻類を有機物処理基剤としての発明です。
甲殻類（ホタテ貝、カキ貝、アワビ、ハマグリ、サザエ、アサリ）等の甲殻類を再利用して有機物処理基材を開発した。甲殻類を破砕することにより無数の気孔があることにきずき、有機物の処理基材に適してると考えた。甲殻類を始めに破砕機械で破砕し、さらに粉砕機にて微粒子状にする。微粒子状にした甲殻類に好気性バチルス属菌群複合菌を加え撹拌することにより、有機物処理基材ができる。
【請求項２】
甲殻類には粉砕しても気孔の少ない貝もある、気孔の少ない貝を使用するときは、さらに天然ゼオライトを加えて好気性バチルス属菌群複合菌を入れる。好気性バチルス属菌群は有機物と混合撹拌することにより、菌は増殖し気孔を住処としてしまう。
【請求項３】
甲殻類を微粒子錠にすることにより、家畜、鳥の飼料のもなる、又、田、畑に散布する石灰のかわりにもなるし、土壌改良剤の効果もある。
【発明の詳細な説明】
【技術分野】
【０００１】本発明は、甲殻類を破砕、粉砕し好気性バチルス属菌群複合菌と混合撹拌し有機物処理基材を開発した。
野積みされた甲殻類の放置は環境の悪化にもなるため、再利用して資源化に貢献するように考えた。
【背景技術】
【０００２】現在、甲殻類は野積みされ放置されてるのが現状です、一部カキ殻は、水洗いし、粉砕して飼料、肥料に市販されてますが、大半は放置されております。本発明は甲殻類の放置を無くすため開発した。
【発明の開示】
【発明が解決しようとする課題】
【０００３】本発明は、有機物、無機質の廃棄物の処理調整基材として発明した。基材は甲殻類を破砕、粉砕し微粒子状した物に好気性バチルス属菌群を入れ撹拌した、撹拌することによりバチルス菌が均等になる。これらの基材を使用することにより廃棄物（有機質）の処理能力が向上する。
【課題を解決するための手段】
【０００４】有機物は、処理機のなかに投入し、次ぎに甲殻類の微粒子とバチルス菌を混合した基材を入れ撹拌する。処理能力は通常の三分の一の時間で処理が出来る。甲殻類で卵の殻も簡単に処理出来る。
【発明の効果】
【０００５】甲殻類の破砕、粉砕し微粒子状にした貝殻と好気性バチルス属菌群処理調整基材に使用することにより有機物処理能力が上がり、又、甲殻類が角に成り、廃棄物を磨り潰す事により減容し処理能力も大幅に上がる。
従来の処理方法では、甲殻類の処理は出来かねたが、破砕、粉砕することにより再利用でき、立派な処理調整基材ができ、貝殻の気孔にバクテリアの住処もできる。
今まで卵の殻の処理は大変でしたが、甲殻類の粉砕剤と撹拌することにより卵の殻はさらに磨り潰され細かくなる。
甲殻類処理調整剤で処理した有機質は田、畑の肥料、土壌改良剤として再利用でき、又、河川、湖沼、海岸に散布することにより水質浄化、土壌改良にもなる、卵の殻の処理後は家畜、鳥等の飼料として利用出来る。
【発明を実施するための最良に形態】
【０００６】以下、本発明の実施の形態について説明する。
甲殻類（ホタテ貝、カキ貝、アワビ、ハマグリ、サザエ、アサリ）等の貝類は、現在では加工場に野積みされたり、廃棄に苦労してるのが大半です。本発明は野積みされてる甲殻類を破砕、粉砕して微粒子状にし、好気性バチルス属菌群複合菌を加えて、有機物処理調整基材を作ることに成功した。
有機物処理調整基剤は生ゴミ処理、汚泥、ヘドロ、牛、豚、鶏の糞の分解処理にと使用できる。甲殻類のため角があり有機物を磨り潰す働きがあるため処理機での処理時間も早い、処理後は処理物により利用方法がことなる。生ゴミの処理後は田、畑、河川、湖沼、海岸に散布することにより水質改良と土壌改良にとなる。ほかの廃棄物は田、畑の肥料及び土壌改良剤に使用出来る。このようにして甲殻類を使用することにより環境問題も改善できる。
【図面の簡単な説明】
【０００７】
【図１】参考回転処理機の断面図
【図２】回転処理機斜視図
【符号の説明】
【０００８】１        回転処理機ドラム
２        主軸
３        ドラム回転タイヤ
４        回転歯車
【図１】
2007160286.tif 000002
【図２】
2007160286.tif 000003
(57)【要約】【課題】残埋立容量の算出は、従来、測量機器を用いた、専門技術者による測量調査により算出しているか、重量で測定された埋立量を想定単位体積重量で割り返し、体積を求め、既埋立量を推定し、算出されていた。またすでに本発明者が公表している、埋立高さを簡易計測で測定し、断面図を作成し算出する方法がある。第１の方法においては、測量に経費を必要とすることが課題である。また、第２の方法においては、廃棄物の種類により、単位重量が大きく異なることから、算出値の精度が悪いことが課題である。第３の方法においては、高さを測定するための指標が、長期間の使用できないことが課題であった。【解決手段】図２のように、埋立処分場の周囲に埋立指標を設置し、図３のように同指標から埋立面までの斜面距離を測定して、入力することにより、図４のように断面積を算出し、平均断面法により残埋立残容量を算出する方法である。【選択図】図３
2007160288.tif 000002
【特許請求の範囲】
【請求項１】
廃棄物埋立処分場の周囲に設置した埋立指標から、測距器具を用いて測定した、埋立面までの斜面距離を利用して、廃棄物埋立処分場の残埋立容量の概算値を算出する手法
【請求項２】
請求項１の手法により、埋立指標から、埋立面までの距離を入力することで、簡便に残埋立容量の概算値を算出するシステム
【発明の詳細な説明】
【技術分野】
【０００１】  この発明は、廃棄物埋立処分場の残埋立容量の算出に関する。
【背景技術】
【０００２】  従来の廃棄物埋立処分場の残埋立容量の算出方法は、図１に示すような、測量調査による垂直方向の断面図を平均断面法により算出されたもの（以下第１の方法という）か、重量で測定された埋立量を想定単位体積重量で割り返し、体積を求め、既埋立体積を推定し、全体から除することで残埋立容量を求めるもの（以下第２の方法という）である。またすでに本発明者が公表している、埋立高さを簡易計測で測定し、断面図を作成、平均断面法により算出する方法（以下第３の方法という）がある。
【発明の開示】
【発明が解決しようとする課題】
【０００３】しかしながら、以上の技術によれば、第１の方法においては、残埋立容量を算出する際に、測量機器を用いた専門技術を要した測量調査を行わなければならず、測量経費の削減が課題であり、また第２の方法においては、廃棄物の種類により、単位重量が大きく異なることから、残埋立容量の精度が悪いことが課題である。
第３の方法においては、高さを測定するための指標を遮水シート上にいくつも設けるが、シートに損傷を与えないよう、ペイントによる表示であり、長期間の使用が困難であった。
そこで、この発明は、専門技術を要しない、簡易な測定により、必要な精度を保持し、長期間にわたって、残埋立容量を算出することを課題とする。
【課題を解決するための手段】
【０００４】  以上の課題を解決するために、発明は、図２のように、埋立処分場の周囲に埋立指標を設置し、図３のように同指標から埋立面までの斜面距離を測定して入力することにより、図４に示す箇所の値を算出し、その値から断面積を求め、平均断面法により残埋立容量を算出する方法である。
【発明の効果】
【０００５】  本発明により、測量機器を用いた専門技術者による測定を不要とし、専門技術を有しない者による、測距器具を用いた簡易な測定のみでの、残埋立容量の算出が可能となる。また埋立指標を処分場外に設置したことで、指標として杭や鋲を使用することが可能となり、指標の長期間の使用が可能となる。また、指標からの距離を直接入力し、本システム内で換算することとし、作業の容易性を高めたものである。
【発明を実施するための最良の形態】
【０００６】  この発明の一実施形態を図２、図３、図４、図５に示す。
本発明方法における測定指標の設置例を図２に示す。この指標よりの測定方法を図３に示す。この測定値の入力により算出する箇所を図４に示す。表計算ソフトを用いた入力・算出結果が図５である。【０００７】「実施形態の効果」
この実施形態によれば、専門技術者による測量機器を使用した測量調査を行わず、処分場施設管理者等の自らが行う簡易計測により、搬入重量から換算して算出した残埋立容量よりも、精度の高い残埋立容量の算出が可能になり、埋立処分場の維持管理に有用な資料を安価に作成することが可能になる。【０００８】「他の実施形態」
図３の実施形態では、埋立処分場の両端部に指標を設置して測定したものであるが、埋立処分場内に中間点を設置し、図４におけるＡ３の面積を細分化して求める場合でもよい。
【図面の簡単な説明】
【０００９】
【図１】従来技術による断面図である。
【図２】この発明の一実施形態を示す埋立指標の設置図である。
【図３】この発明の一実施形態を示す簡易測定の方法図である。
【図４】この発明の一実施形態を示す断面積算出説明図である。
【図５】この発明の一実施形態を示す残埋立容量の算出値である。
【符号の説明】
【００１０】  １  計画埋立完了面        ２  残埋立部分
３  既埋立部分            ４  測量調査による現埋立面
５  埋立現況面            ６  埋立指標
【図１】
2007160288.tif 000003
【図２】
2007160288.tif 000004
【図３】
2007160288.tif 000005
【図４】
2007160288.tif 000006
【図５】
2007160288.tif 000007
(57)【要約】【課題】  オンキャリッジのセンサにより印字メディアの横幅を検知することは一般的であるが、キャリッジの直下に印字メディアが来てからしか検知できないため、検知のためのキャリッジスキャンが入るなど、時間的にロスが多い。これらのロスを取り除き、円滑な検知と印刷を行えるようにする。【解決手段】  紙幅検知を行うセンサユニットをキャリッジよりも給紙方向へ近い側に配置し、タイミングベルトのキャリッジと反対側に取り付け、キャリッジと同じ駆動源で駆動させる。【選択図】  図１
2007160741.tif 000002
【特許請求の範囲】
【請求項１】
記録媒体を搬送する搬送手段と、
インクを吐出する記録手段を保持するキャリッジと、
前記キャリッジを前記搬送手段の搬送方向と直行する方向に移動可能に案内する案内手段と、
前記キャリッジの前記搬送手段の搬送方向の上流側に配置され、前記キャリッジを前記案内手段沿いに移動させるベルトと、
前記ベルトの前記搬送方向上流側に配置され、前記ベルトによって前記キャリッジと一体的に移動して記録媒体の幅を検知する記録媒体検知手段と、
を有することを特徴とするインクジェット記録装置。
【発明の詳細な説明】
【技術分野】
【０００１】
本発明は記録媒体を搬送する搬送手段と、画像を記録する記録手段と、前記記録手段を搭載するキャリッジとを備えたインクジェット記録装置に関する。
【背景技術】
【０００２】
オンキャリッジのセンサにより印字メディアの横幅を検知することは一般的である。
【０００３】
従来例としては、特許文献１をあげることが出来る。
【特許文献１】特開平09-300751号公報
【発明の開示】
【発明が解決しようとする課題】
【０００４】
しかし、キャリッジの直下に印字メディアが来てからしか検知できないため、検知のためのキャリッジスキャンが入るなど、時間的にロスが多い。
【０００５】
本発明はこれらのロスを取り除き、円滑な検知と印刷を行えることを目的とする。
【課題を解決するための手段】
【０００６】
上記目的を達成するための本発明の構成は、
記録媒体を搬送する搬送手段と、
インクを吐出する記録手段を保持するキャリッジと、
前記キャリッジを前記搬送手段の搬送方向と直行する方向に移動可能に案内する案内手段と、
前記キャリッジの前記搬送手段の搬送方向の上流側に配置され、前記キャリッジを前記案内手段沿いに移動させるベルトと、
前記ベルトの前記搬送方向上流側に配置され、前記ベルトによって前記キャリッジと一体的に移動して記録媒体の幅を検知する記録媒体検知手段と、
を有することを特徴とするインクジェット記録装置である。
【発明の効果】
【０００７】
本発明によれば、記録媒体の幅を検知するためにだけ行われる余計なキャリッジスキャンを廃止できて、時間的なロスを取り除き、円滑な検知と印刷を行えるインクジェット記録装置を提供できる。
【発明を実施するための最良の形態】
【０００８】
次に、本発明の詳細を実施例の記述に従って説明する。
【０００９】
本発明の実施形態について、図１〜図２を用いて説明する。
【００１０】
図２は本発明の実施形態を示した斜視図である。基本構成は一般的なインクジェットプリンタと同じであり、キャリッジ１はモータ６の駆動力を駆動ベルト８を介して得ており、ガイドシャフト３に沿って動く。本発明では前記課題として挙げたような、キャリッジ上のセンサによる紙幅検知のロスを防ぐために、図２に示すように紙幅検知センサ２をキャリッジ駆動ベルトのキャリッジと対称位置（モータ6、アイドラプーリ7を介して対称）に取り付ける構成をとっている。
【００１１】
この構成をとった場合のキャリッジとセンサの位置関係を断面図、図1に示す。今、キャリッジ1が記録メディア９に印字を行っている。この記録メディア９の次に記録メディア１０を印字したいとき、従来は記録メディア９への印字が終了したあと、記録メディア１０の紙幅をオンキャリッジのセンサでスキャンすることで検知し、その後改めて印字する必要があった。しかし、本構成では図１に示すようにキャリッジ1に対して駆動ベルトの反対側にセンサを配置することによって、キャリッジが記録メディア９へ印字している最中でも、先行給紙されている記録メディア１０の直上にセンサがあるため、キャリッジが印字によるスキャンを行った際の走行と同時に記録メディア１０の紙幅を検知できる。もし、記録メディア９のスキャン時に紙幅が検出できないくらい記録メディア１０の紙幅が狭い場合でも、従来のようなキャリッジ1の直下に紙が送られてきてから、検知のためのスキャンを行うような無駄はなく、記録メディア９のスキャン中に記録メディア９の紙幅より長めにスキャンを行うだけで済む。また、その長いスキャンを行っている最中に、記録メディア９の排出動作や記録メディア１０のキャリッジ１下への搬入動作を行うこともできるので、従来に比べいくつかの動作をオーバーラップさせることで、より無駄な時間を省くことができる。
【図面の簡単な説明】
【００１２】
【図１】本発明の実施形態をしめしたインクジェットプリンタのキャリッジ部の断面図である
【図２】本発明の実施形態をしめしたインクジェットプリンタの斜視図である
【符号の説明】
【００１３】
１  キャリッジ
２  紙幅センサユニット
３  ガイドシャフト
４  シャーシ
５  センサ用レール
６  モータ
７  アイドラプーリ
８  タイミングベルト
９  記録メディアＡ
１０  記録メディアＢ
【図１】
2007160741.tif 000003
【図２】
2007160741.tif 000004
(57)【要約】【課題】印刷したパターン１Ａやロゴの陰が軸筒８の表面に写りパターン１Ａやロゴが立体的に見える筆記具のグリップを提供する。【解決手段】筆記具を把持する部分に取り付けられるグリップにおいて、そのグリップを内グリップ１と外グリップ２の二層構造で構成する。更に、前記内グリップ１と外グリップ２を透明性を有する軟質材で構成するとともに、内グリップ１の表面に隠蔽性のあるインクでパターン１Ａあるいはロゴを印刷する。【選択図】        図１
2007237414.tif 000002
【特許請求の範囲】
【請求項１】
筆記具を把持する部分に取り付けられるグリップにおいて、そのグリップを内グリップと外グリップの二層構造で構成し、前記内グリップと外グリップを透明性を有する軟質材で構成するとともに、内グリップの表面に隠蔽性のあるインクでパターンあるいはロゴを印刷したことを特徴とする筆記具のグリップ。
【発明の詳細な説明】
【技術分野】
【０００１】
本発明は、筆記具を把持する部分に取り付けられるグリップに関するものである。
【背景技術】
【０００２】
従来、筆記具を把持する部分に取り付けられたグリップとしては、内方層と表面層との上下に積層した軟質材で形成し、内方層のショアー硬度がＨｓ（ＪＩＳＡ）５〜３０、表面層のショアー硬度がＨｓ（ＪＩＳＡ）４０以上で構成した筆記具のグリップが知られている。（特許文献１参照）
【特許文献１】特開２０００−３５５１８５号公報
【発明の開示】
【発明が解決しようとする課題】
【０００３】
しかしながら、上記した筆記具のグリップは、内方層と表面層が透明性を有する点については全く記載されていない。更に、内方層の表面に隠蔽性のあるインクでパターンあるいはロゴを印刷する点についても全く記載されていない。したがって、パターンあるいはロゴが立体的に見えるという意匠的効果は全く期待できないものである。
本発明は、上記課題を解消する筆記具のグリップを提供することを目的とするものである。
【課題を解決するための手段】
【０００４】
本発明は、筆記具を把持する部分に取り付けられるグリップにおいて、そのグリップを内グリップと外グリップの二層構造で構成し、前記内グリップと外グリップを透明性を有した軟質材で構成するとともに、内グリップの表面に隠蔽性のあるインクでパターンあるいはロゴを印刷したことを要旨とする。
【発明の効果】
【０００５】
本発明は、透明性を有した内グリップの表面に隠蔽性のあるインクでパターンあるいはロゴを印刷し、更に、内グリップの外側に透明性を有した外グリップを被せて二層構造で構成することにより、印刷パターンやロゴの陰が軸筒の表面に写りパターンやロゴが立体的に見えるので意匠的な効果が向上するものである。
【発明を実施するための最良の形態】
【０００６】
印刷パターンの陰が軸筒の表面に写り、パターンが立体的に見える筆記具のグリップを実現した。
【実施例１】
【０００７】
以下、図１に基づいて本発明の筆記具のグリップを説明する。先ず、透明性を有したシリコン等の軟質材で内グリップ１を形成する。この内グリップ１の表面に隠蔽性のあるインクでパターン１Ａあるいはロゴを印刷する。更に、内グリップ１の外側に透明性を有した外グリップ２を被せて二層構造の筆記具のグリップを構成する。尚、内グリップ１と外グリップ２は互いに無色透明か、あるいは同色の透明性を有する軟質材で構成する。すると、パターン１Ａあるいはロゴが透明性を有した内グリップ１と外グリップ２の間に位置しあたかも浮かんだ状態となるので立体的に表現できる。
【０００８】
次に、図２及び図３により本発明の筆記具のグリップをノック式シャープペンシルに設けた例で説明する。先ず、チャック３の頭部３Ａを複数に分割して拡開可能に形成し、この頭部３Ａにテーパー面を形成する。前記チャック３の頭部３Ａに締リング４を外嵌し、チャック３の後部にパイプ状の芯タンク５を圧入固着する。また、締リング４を受け止めるワッシャー６と芯タンク５の間にスプリング７を張架し、チャック３のテーパー面が締リング４に押圧され機構部が構成される。
【０００９】
軸筒８の前部８Ａは細径に形成され、この前部８Ａに内グリップ１と外グリップ２の二層構造となったグリップを外嵌する。
【００１０】
この軸筒８の前方より前記機構部を挿入した後、軸筒８に口金９を螺合し、口金９の内段９Ａと軸筒８の前端でワッシャー６を挟持する。また、口金９が螺合されることによって口金９の後端と軸筒８の外段８Ｂによって内グリップ１及び外グリップ２が挟持される。
【００１１】
尚、本発明の筆記具のグリップは、ノック式シャープペンシルに限定されるものではなく、ボールペン等種々の筆記具に利用できるものである。
【産業上の利用可能性】
【００１２】
内グリップの表面に印刷したパターンあるいはロゴが、内グリップと外グリップの間に立体的に表現することができる。
【図面の簡単な説明】
【００１３】
【図１】本発明の実施例１の筆記具のグリップを示す斜視図である。（実施例１）
【図２】本発明の実施例１の筆記具のグリップを設けたノック式シャープペンシルを示す主要部断面図である。（実施例１）
【図３】図２のノック式シャープペンシルを示す主要部部分断面図である。（実施例１）
【符号の説明】
【００１４】
１  内グリップ
１Ａ  内グリップ１のパターン
２  外グリップ
【図１】
2007237414.tif 000003
【図２】
2007237414.tif 000004
【図３】
2007237414.tif 000005
(57)【要約】【課題】本発明は、内蔵ボードを蓋に設けた支柱を介して保持することにより、内蔵ボードと底板とを非接触状態とし、底板からの衝撃が内蔵ボードに伝達しないようにすることを目的とする。【解決手段】本発明による筺体内の内蔵ボード取付構造は、内蔵ボード(6,8)と底板(2)との間には空隙(10)が形成され、内蔵ボード(6,8)は前記底板(2)に対して非接触状態とした構成である。【選択図】図１
2007237686.tif 000002
【特許請求の範囲】
【請求項１】
底板(2)と側板(3)からなり全体形状がカップ型をなす筺体(1)と、前記筺体(1)の上部に設けられた蓋(4)と、前記蓋(4)の裏面(4a)に設けられた複数の支柱(5)と、前記支柱(5)の下部に設けられた第１内蔵ボード(6)とよりなり、
前記第１内蔵ボード(6)と前記底板(2)との間には空隙(10)が形成され、前記第１内蔵ボード(6)は前記底板(2)に対して非接触状態であることを特徴とする筺体内の内蔵ボード取付構造。
【請求項２】
前記支柱(5)には、副支柱(7)を介して一対の前記内蔵ボード(6,8)が設けられていることを特徴とする請求項１記載の筺体内の内蔵ボード取付構造。
【発明の詳細な説明】
【技術分野】
【０００１】
本発明は、筺体内の内蔵ボード取付構造に関し、特に、内蔵ボードを蓋に設けた支柱を介して保持することにより、内蔵ボードと底板とを非接触状態とし、底板からの衝撃が内蔵ボードに伝達されないようにするための新規な改良に関する。
【背景技術】
【０００２】
従来、用いられていたこの種の筺体内の内蔵ボード取付構造としては、社内製作であるため、特に、特許文献に示していないが、一般に、筺体の底板内面に支柱を設け、この支柱の上部に内蔵ボードを取付るようにしていた。
【発明の開示】
【発明が解決しようとする課題】
【０００３】
従来の筺体内の内蔵ボード取付構造は、以上のように構成されていたため、次のような課題が存在していた。
すなわち、内蔵ボード自体が底板上の支柱に支持されていたため、底板と内蔵ボードとは機械的に接続されており、底板に大きい衝撃が加えられた場合には、この衝撃が直接、内蔵ボードに伝達され、内蔵ボードに損傷を与える恐れがあった。
【課題を解決するための手段】
【０００４】
本発明による筺体内の内蔵ボード取付構造は、底板と側板からなり全体形状がカップ型をなす筺体と、前記筺体の上部に設けられた蓋と、前記蓋の裏面に設けられた複数の支柱と、前記支柱の下部に設けられた第１内蔵ボードとよりなり、前記第１内蔵ボードと前記底板との間には空隙が形成され、前記第１内蔵ボードは前記底板に対して非接触状態とした構成であり、また、前記支柱には、副支柱を介して一対の前記内蔵ボードが設けられている構成である。
【発明の効果】
【０００５】
本発明による筺体内の内蔵ボード取付構造は、以上のように構成されているため、次のような効果を得ることができる。
すなわち、筺体の上部に設けられた蓋の内面に設けられた支柱の下部に内蔵ボードが設けられ、この内蔵ボードと底板との間には空隙が形成されているため、内蔵ボードは筺体内で宙吊り状態となり、底板に衝撃が加えられた場合でも、内蔵ボードの損傷を防止することができる。
【発明を実施するための最良の形態】
【０００６】
本発明は、内蔵ボードを蓋に設けた支柱を介して保持することにより、内蔵ボードと底板とを非接触状態とし、底板からの衝撃が内蔵ボードに伝達されないようにした筺体内の内蔵ボード取付構造を提供することを目的とする。
【実施例】
【０００７】
以下、図面と共に本発明による筺体内の内蔵ボード取付構造の好適な実施の形態について説明する。
図１において、符号１で示されるものは、底板２及びこれと一体の側板３からなり全体形状がコップ型をなす筺体であり、この筺体１の上部には蓋４がねじ５Ａによって着脱自在に設けられている。
【０００８】
前記蓋４の裏面４ａに設けられ、下方に向けて垂下する複数の支柱５の下部には、副支柱７を介して第１内蔵ボード６が設けられており、この第１内蔵ボード６の下部には副支柱７を介して第２内蔵ボード８が取付けられている。
【０００９】
前記副支柱７は、前記第２内蔵ボード８を有する状態で前記第１内蔵ボード６を貫通し、各支柱５のねじ孔等からなる取付孔５ａに取付けられている。
前記筺体１の底板２と前記各内蔵ボード６，８との間には空隙１０が設けられている。
【００１０】
従って、前述の構成において、筺体１の底板２に対して大きい衝撃が加えられた場合においても、この衝撃は空隙１０部分で吸収され、各内蔵ボード６，８への衝撃の伝達は防止される。
【図面の簡単な説明】
【００１１】
【図１】本発明による筺体内の内蔵ボード取付構造を示す断面図である。
【図２】図１の平面図である。
【符号の説明】
【００１２】
１    筺体
２    底板
３    側板
４    蓋
４ａ    裏面
５    支柱
６    第１内蔵ボード
７    副支柱
８    第２内蔵ボード
１０    空隙
【図１】
2007237686.tif 000003
【図２】
2007237686.tif 000004